(57)【特許請求の範囲】
【請求項１】
被写体を連続撮影する撮影手段と、
撮影手段にて連続撮影した被写体像を静止画群に処理する信号処理手段と、
信号処理手段にて処理した静止画群を記憶する記憶手段と、
記憶手段に記憶した静止画群中の一枚の静止画を画像処理して被写体の動的部分のブレの有無の検出及び時間軸に沿ったブレの方向判定を行い、ブレの方向に応じた検索を実行して被写体の動的部分のブレの無い静止画を抽出する画像処理手段と、
を有することを特徴とする撮影画像処理装置。
【請求項２】
動的部分を有する被写体を連続撮影して取得した複数枚の静止画群中の一枚の静止画を画像処理して被写体の動的部分のブレの有無を検出し、ブレが検知された場合、ブレの方向を判定してブレが無い静止画の存在する方向を決定し、決定した方向に従ってその方向の静止画群を画像処理しブレの有無判別処理及びブレ方向判定処理を繰り返して、被写体の動的部分のブレの無い静止画を抽出すること、
を特徴とする撮影画像処理方法。
【請求項３】
瞼部分の開閉を伴う被撮影者を連続撮影する撮影手段と、
撮影手段にて連続撮影した被撮影者像を静止画群に処理する信号処理手段と、
信号処理手段にて処理した静止画群を記憶する記憶手段と、
記憶手段に記憶した静止画群中の一枚の静止画を画像処理して被撮影者の瞼部分のブレの有無の検出及び時間軸に沿ったブレの方向判定を行い、被撮影者の瞼部分のブレの無い静止画を抽出する画像処理手段と、
を有することを特徴とする撮影画像処理装置。
【請求項４】
瞼部分の開閉を伴う被撮影者を連続撮影して取得した複数枚の静止画群中の一枚の静止画を画像処理して被撮影者の瞼部分のブレの有無を検出し、ブレが検知された場合、ブレの方向を判定してブレが無い静止画の存在する方向を決定し、決定した方向に従ってその方向の静止画群を画像処理しブレの有無検出処理及びブレ方向判定処理を繰り返して、被撮影者の瞼部分のブレの無い静止画を抽出すること、
を特徴とする撮影画像処理方法。
【請求項５】
瞼部分の開閉を伴う被撮影者を連続撮影する光学系のシャッタ調整機能及び絞り調整機能を備えた撮影手段と、
撮影手段にて連続撮影した被撮影者像を静止画群に処理する信号処理手段と、
信号処理手段にて処理した静止画群を記憶する記憶手段と、
静止画を表示する表示手段と、
前記記憶手段に記憶した静止画群中の一枚の静止画を画像処理して被撮影者の瞼部分の画像を抽出する画像抽出部と、画像抽出部により抽出した被撮影者の瞼部分の画像を基に瞼部分のブレの有無の判定及び時間軸に沿ったブレの方向判定を行う画像判定部と、画像判定部の判定結果に基づき静止画群中の被撮影者の瞼部分のブレの無い静止画を検索し前記表示手段に表示する画像検索部とを具備する画像処理手段と、
を有することを特徴とする撮影画像処理装置。
【請求項６】
瞼部分の開閉を伴う被撮影者を光学系のシャッタ調整機能及び絞り調整機能を備えた撮影手段により連続撮影し、連続撮影した被撮影者像を静止画群に処理して記憶保持し、
記憶した静止画群中の一枚の静止画を画像処理して被撮影者の瞼部分の画像を抽出し、
抽出した被撮影者の瞼部分の画像を基に瞼部分のブレの有無の判定及び時間軸に沿ったブレの方向の判定を行い、
ブレの有無及びブレの方向の判定結果に基づき静止画群中の被撮影者の瞼部分のブレの無い静止画を検索して表示手段により表示すること、
を特徴とする撮影画像処理方法。
【請求項７】
瞼部分の開閉を伴う被撮影者を、連続撮影する光学系のシャッタ調整機能及び絞り調整機能を備えシャッタ開中に絞りを変化させて、被撮影者の瞼部分の開閉に応じた時間軸に沿った方向性を有するブレを含む画像及びその前後の画像を連続撮影する撮影手段と、
撮影手段にて連続撮影した瞼部分の開閉に方向性を有するブレを含む被撮影者像及びその前後の被撮影者像を静止画群に処理する信号処理手段と、
信号処理手段にて処理した静止画群を記憶する記憶手段と、
静止画を表示する表示手段と、
前記記憶手段に記憶した静止画群中の一枚の静止画を画像処理して被撮影者の瞼部分の画像を抽出する画像抽出部と、画像抽出部により抽出した被撮影者の瞼部分の画像を基に瞼部分のブレの有無の判定及び時間軸に沿ったブレの方向判定を行う画像判定部と、画像判定部の瞼部分のブレの方向判定結果に応じて静止画群中の時間軸に沿った当該ブレを伴う静止画より以前に又は以後に撮影された瞼部分のブレの無い静止画を検索し、前記表示手段に表示する画像検索部とを具備する画像処理手段と、
を有することを特徴とする撮影画像処理装置。
【請求項８】
光学系のシャッタ調整機能及び絞り調整機能を備えた撮影手段により、シャッタ開中に絞りを変化させて、被撮影者の瞼部分の開閉に応じた時間軸に沿った方向性を有するブレを含む画像及びその前後の画像を連続撮影し、連続撮影した瞼部分の開閉に方向性を有するブレを含む被撮影者像及びその前後の被撮影者像を静止画群に処理して記憶保持し、
記憶した静止画群中の一枚の静止画を画像処理して被撮影者の瞼部分の画像を抽出し、
抽出した被撮影者の瞼部分の画像を基に瞼部分のブレの有無の判定及び時間軸に沿ったブレの方向の判定を行い、
ブレの有無及びブレの方向の判定結果に基づき、静止画群中の時間軸に沿った当該ブレを伴う静止画より以前に又は以後に撮影された瞼部分のブレの無い静止画を検索して表示手段により表示すること、
を特徴とする撮影画像処理方法。
【発明の詳細な説明】
【０００１】
【発明の属する技術分野】
本発明は、撮影画像処理装置及び撮影画像処理方法に関するものである。
【０００２】
【従来の技術】
従来、特許第２８０７９５１号に開示された撮影装置のように、コンピュータで制御されたビデオカメラを利用した撮影装置が知られている。
【０００３】
特許第２８０７９５１号に開示された撮影装置は、レンズ部のフォーカス、アイリス部の絞り、撮像部の増幅率や信号処理部の各パラメータを、コンピュータからの制御信号に従って制御する撮影装置である。
【０００４】
このような構成の撮影装置において、ビデオカメラのビデオ出力をデジタル信号に変換し、コンピュータに取り込み、その値によりビデオカメラを自動的に制御することで、被撮影者の顔部分を連続撮影して多数の静止画をコンピュータに入力し記憶することが可能になる。
【０００５】
上述した撮影装置で、例えばある個人の証明書用の顔画像を静止画として取り込む場合、眼の瞬きが写ってしまったような静止画は証明書用として適さないため排除することが必要になる。
【０００６】
【発明が解決しようとする課題】
しかしながら、上述した従来の撮影装置の場合には、撮影装置で撮影した多数の静止画のうちの一枚の静止画を見ただけでは、被撮影者の瞼が開く途上の画像であるか、瞼が閉じる途上の画像であるかを判定することは困難であるため、連続する多数の静止画をシーケンシャルに検索し、証明書用の顔画像としてふさわしい静止画を抽出しなければならず、多くの処理時間を要し作業能率が良好でないという問題がかある。
【０００７】
本発明は、上記事情に鑑みてなされたものであり、被撮影者等の被写体を撮影して記憶保持した連続する多数の静止画のなかから所望の静止画を迅速に検索して抽出することができ、所望の静止画の検索作業能率の向上を図ることができる撮影画像処理装置及び撮影画像処理方法を提供するものである。
【０００８】
【課題を解決するための手段】
請求項１記載の発明は、被写体を連続撮影する撮影手段と、撮影手段にて連続撮影した被写体像を静止画群に処理する信号処理手段と、信号処理手段にて処理した静止画群を記憶する記憶手段と、記憶手段に記憶した静止画群中の一枚の静止画を画像処理して被写体の動的部分のブレの有無の検出及び時間軸に沿ったブレの方向判定を行い、ブレの方向に応じた検索を実行して被写体の動的部分のブレの無い静止画を抽出する画像処理手段とを有することを特徴とする撮影画像処理装置である。
【０００９】
この発明によれば、撮影手段にて連続撮影し、信号処理して記憶手段に記憶した被写体像の静止画群の中の一枚の静止画を画像処理して、被写体の動的部分のブレの有無の検出及び時間軸に沿ったブレの方向判定を行い、ブレの方向に応じた検索を実行して被写体の動的部分のブレの無い静止画を抽出するものであるから、多数の静止画の中からブレの無い所望の静止画を迅速に検索して抽出することができる撮影画像処理装置を提供することができる。
【００１０】
請求項２記載の発明は、動的部分を有する被写体を連続撮影して取得した複数枚の静止画群中の一枚の静止画を画像処理して被写体の動的部分のブレの有無を検出し、ブレが検知された場合、ブレの方向を判定してブレが無い静止画の存在する方向を決定し、決定した方向に従ってその方向の静止画群を画像処理しブレの有無判別処理及びブレ方向判定処理を繰り返して、被写体の動的部分のブレの無い静止画を抽出することを特徴とする撮影画像処理方法である。
【００１１】
この発明によれば、動的部分を有する被写体の連続撮影、連続撮影して取得した複数枚の静止画群中の一枚の静止画の画像処理による被写体の動的部分のブレの有無及びブレ方向判定処理の繰り返しによって、被写体の動的部分のブレの無い静止画を迅速に抽出することができる撮影画像処理方法を提供することができる。
【００１２】
請求項３記載の発明は、瞼部分の開閉を伴う被撮影者を連続撮影する撮影手段と、この撮影手段にて連続撮影した被撮影者像を静止画群に処理する信号処理手段と、信号処理手段にて処理した静止画群を記憶する記憶手段と、記憶手段に記憶した静止画群中の一枚の静止画を画像処理して被撮影者の瞼部分のブレの有無の検出及び時間軸に沿ったブレの方向判定を行い、被撮影者の瞼部分のブレの無い静止画を抽出する画像処理手段とを有することを特徴とする撮影画像処理装置である。
【００１３】
この発明によれば、撮影手段にて連続撮影し、信号処理して記憶手段に記憶した被撮影者像の静止画群の中の一枚の静止画を画像処理して、被撮影者の瞼部分のブレの有無の検出及び時間軸に沿ったブレの方向判定を行い、ブレの方向に応じた検索を実行して被撮影者の瞼部分のブレの無い静止画を抽出するものであるから、被撮影者の多数の静止画の中から瞼部分のブレの無い所望の静止画を迅速に検索して抽出することができる撮影画像処理装置を提供することができる。
【００１４】
請求項４記載の発明は、瞼部分の開閉を伴う被撮影者を連続撮影して取得した複数枚の静止画群中の一枚の静止画を画像処理して被撮影者の瞼部分のブレの有無を検出し、ブレが検知された場合、ブレの方向を判定してブレが無い静止画の存在する方向を決定し、決定した方向に従ってその方向の静止画群を画像処理しブレの有無検出処理及びブレ方向判定処理を繰り返して、被撮影者の瞼部分のブレの無い静止画を抽出することを特徴とする撮影画像処理方法である。
【００１５】
この発明によれば、瞼部分を有する被撮影者の連続撮影、連続撮影して取得した複数枚の静止画群中の一枚の静止画の画像処理及び記憶処理、被撮影者の瞼部分のブレの有無及びブレ方向判定処理により、被撮影者の瞼部分のブレの無い静止画を迅速に抽出することができる撮影画像処理方法を提供することができる。
【００１６】
請求項５記載の発明は、瞼部分の開閉を伴う被撮影者を連続撮影する光学系のシャッタ調整機能及び絞り調整機能を備えた撮影手段と、撮影手段にて連続撮影した被撮影者像を静止画群に処理する信号処理手段と、信号処理手段にて処理した静止画群を記憶する記憶手段と、静止画を表示する表示手段と、前記記憶手段に記憶した静止画群中の一枚の静止画を画像処理して被撮影者の瞼部分の画像を抽出する画像抽出部と、画像抽出部により抽出した被撮影者の瞼部分の画像を基に瞼部分のブレの有無の判定及び時間軸に沿ったブレの方向判定を行う画像判定部と、画像判定部の判定結果に基づき静止画群中の被撮影者の瞼部分のブレの無い静止画を検索し前記表示手段に表示する画像検索部とを具備する画像処理手段とを有することを特徴とする撮影画像処理装置である。
【００１７】
この発明によれば、撮影手段にて連続撮影し、信号処理して記憶手段に記憶した被撮影者像の静止画群の中の一枚の静止画を画像抽出部により抽出し、画像判定部により抽出した被撮影者の瞼部分の画像を基に瞼部分のブレの有無の判定及び時間軸に沿ったブレの方向判定を行い、画像検索部により、画像判定部の判定結果に基づき静止画群中の被撮影者の瞼部分のブレの無い静止画を検索し前記表示手段に表示するものであるから、被撮影者の瞼部分のブレの無い静止画を迅速に検出して視認することができる撮影画像処理装置を提供することができる。
【００１８】
請求項６記載の発明は、瞼部分の開閉を伴う被撮影者を光学系のシャッタ調整機能及び絞り調整機能を備えた撮影手段により連続撮影し、連続撮影した被撮影者像を静止画群に処理して記憶保持し、記憶した静止画群中の一枚の静止画を画像処理して被撮影者の瞼部分の画像を抽出し、抽出した被撮影者の瞼部分の画像を基に瞼部分のブレの有無の判定及び時間軸に沿ったブレの方向の判定を行い、ブレの有無及びブレの方向の判定結果に基づき静止画群中の被撮影者の瞼部分のブレの無い静止画を検索して表示手段により表示することを特徴とする撮影画像処理方法である。
【００１９】
この発明によれば、瞼部分を有する被撮影者の連続撮影、連続撮影して取得した複数枚の静止画群中の一枚の静止画の画像処理及び記憶処理、被撮影者の瞼部分のブレの有無及びブレ方向判定処理、静止画群中の被撮影者の瞼部分のブレの無い静止画の検索処理及び表示処理によって、被撮影者の瞼部分のブレの無い静止画を迅速に抽出し視認することができる撮影画像処理方法を提供することができる。
【００２０】
請求項７記載の発明は、瞼部分の開閉を伴う被撮影者を、連続撮影する光学系のシャッタ調整機能及び絞り調整機能を備えシャッタ開中に絞りを変化させて、被撮影者の瞼部分の開閉に応じた時間軸に沿った方向性を有するブレを含む画像及びその前後の画像を連続撮影する撮影手段と、撮影手段にて連続撮影した瞼部分の開閉に方向性を有するブレを含む被撮影者像及びその前後の被撮影者像を静止画群に処理する信号処理手段と、信号処理手段にて処理した静止画群を記憶する記憶手段と、静止画を表示する表示手段と、前記記憶手段に記憶した静止画群中の一枚の静止画を画像処理して被撮影者の瞼部分の画像を抽出する画像抽出部と、画像抽出部により抽出した被撮影者の瞼部分の画像を基に瞼部分のブレの有無の判定及び時間軸に沿ったブレの方向判定を行う画像判定部と、画像判定部の瞼部分のブレの方向判定結果に応じて静止画群中の時間軸に沿った当該ブレを伴う静止画より以前に又は以後に撮影された瞼部分のブレの無い静止画を検索し、前記表示手段に表示する画像検索部とを具備する画像処理手段とを有することを特徴とする撮影画像処理装置である。
【００２１】
この発明によれば、瞼部分の開閉を伴う被撮影者をシャッタ開中に絞りを変化させて被撮影者の瞼部分の開閉に応じた時間軸に沿った方向性を有するブレを含む画像及びその前後の画像を連続撮影し、信号処理して記憶手段に記憶した被撮影者像の静止画群の中の一枚の静止画を画像抽出部により抽出し、画像判定部により抽出した被撮影者の瞼部分の画像を基に瞼部分のブレの有無の判定及び時間軸に沿ったブレの方向判定を行い、画像検索部により、画像判定部の判定結果に応じて静止画群中の時間軸に沿った当該ブレを伴う静止画より以前に又は以後に撮影された被撮影者の瞼部分のブレの無い静止画を検索し、前記表示手段に表示するものであるから、被撮影者の瞼部分のブレの無い静止画を一段と迅速に検出して視認することができる撮影画像処理装置を提供することができる。
【００２４】
請求項９記載の発明は、光学系のシャッタ調整機能及び絞り調整機能を備えた撮影手段により、シャッタ開中に絞りを変化させて、被撮影者の瞼部分の開閉に応じた時間軸に沿った方向性を有するブレを含む画像及びその前後の画像を連続撮影し、連続撮影した瞼部分の開閉に方向性を有するブレを含む被撮影者像及びその前後の被撮影者像を静止画群に処理して記憶保持し、記憶した静止画群中の一枚の静止画を画像処理して被撮影者の瞼部分の画像を抽出し、抽出した被撮影者の瞼部分の画像を基に瞼部分のブレの有無の判定及び時間軸に沿ったブレの方向の判定を行い、ブレの有無及びブレの方向の判定結果に基づき、静止画群中の時間軸に沿った当該ブレを伴う静止画より以前に又は以後に撮影された瞼部分のブレの無い静止画を検索して表示手段により表示することを特徴とする撮影画像処理方法である。
【００２５】
この発明によれば、瞼部分を有する被撮影者のシャッタ開中に絞りを変化させての連続撮影、連続撮影して取得した複数枚の静止画群中の一枚の静止画の画像処理及び記憶処理、被撮影者の瞼部分のブレの有無及びブレ方向判定処理、静止画群中の被撮影者の時間軸に沿った当該ブレを伴う静止画より以前に又は以後に撮影された瞼部分のブレの無い静止画瞼部分のブレの無い静止画の検索処理及び表示処理によって、被撮影者の瞼部分のブレの無い静止画を迅速に抽出し視認することができる撮影画像処理方法を提供することができる。
【００２８】
【発明の実施の形態】
以下に、本発明の実施の形態を詳細に説明する。
【００２９】
図１は、本発明の実施の形態の撮影装置を示すものであり、この撮影装置は、被写体からの光を撮像素子３に導くためのレンズ部１と、前記レンズ部１を経て前記撮像素子３に入射する光の量を調整するアイリス部（絞り）２と、被写体からの光を通過又は遮断するシャッタ１３と、前記撮像素子３上に前記レンズ部１によって結像された光学画像を光電変換し画像の各部分の光の強弱に対応する位置での出力電圧の強弱に変換して被写体の画像を電気信号に変換するＣＣＤ等からなる撮像素子３と、前記撮像素子３の出力電圧を増幅する増幅回路、この増幅回路の出力信号をデジタル信号に変換しビデオ信号として出力するＡ／Ｄ変換回路等を含む信号処理装置４と、前記レンズ部１の焦点調整を行う焦点調整装置５と、前記アイリス部２を制御するアイリス制御装置６と、前記レンズ部１の焦点制御、アイリス制御装置６の絞り制御、シャッタ１３を動作させるシャッタ駆動部１４の動作制御を行うカメラ制御装置７と、前記信号処理装置４からの前記デジタル信号を一時的に（又は恒久的に）記憶する記憶装置８と、この記憶装置８とインターフェース９を介して接続され前記デジタル信号の大小の比較等の信号処理を行う演算処理装置、この演算処理装置の演算結果に基づく制御信号により、前記カメラ制御装置７を介して焦点調整装置５や前記アイリス制御装置６の動作制御、シャッタ駆動部１４の動作制御、前記増幅回路の増幅率の調整等を行う制御装置１０とを有している。
【００３０】
制御装置１０はさらに、図２に示すように、全体の制御を行う制御部２０と、制御プログラムを格納したプログラムメモリ２１と、前記記憶装置８に記憶した静止画群中の一枚の静止画を画像処理して被撮影者の瞼部分の画像を抽出する画像抽出部２２と、画像抽出部２２により抽出した被撮影者の瞼部分の画像を基に瞼部分のブレの有無の判定及び時間軸に沿ったブレの方向判定を行う画像判定部２３と、画像判定部２３の判定結果に基づき静止画群中の被撮影者の瞼部分のブレの無い静止画を検索し前記表示手段に表示する画像検索部２４とを具備している。
【００３１】
また、本発明の実施の形態の撮影画像処理装置は、前記信号処理装置４に接続したＣＲＴディスプレイ、液晶ディスプレイ等の表示装置１１、前記制御装置１０に接続したプリンタ装置１２を備えている。
【００３２】
前記アイリス部２は、アイリス制御装置６により制御され、絞りを広狭に調整して撮像素子３の蓄積時間内でこの撮像素子３に到達する光量を変更するようになっている。
【００３３】
図３は、本発明の実施の形態の撮影画像処理装置におけるシャッタ時間（撮像素子３の蓄積時間）とアイリス部２の絞りの調整との関係の一例を示すタイミングチャートである。
【００３４】
図３に示す例では、シャッタ１３の開時点にはアイリス部２の絞りは適正絞りより暗く、シャッタ１３の閉時点ではアイリス部２の絞りを適正絞りより明るくなるように制御している。
【００３５】
次に、本発明の実施の形態の撮影画像処理装置において、図４で示す移動（変化）する点の撮影例を説明する。
【００３６】
一般にレンズ部１は、球面収差を有しているため、アイリス部２の絞りが開けられている時は撮影対象が小さな点でも球面収差のため理想の像より広がって撮影される。
【００３７】
また、アイリス部２の絞りを絞り込むと、球面収差の影響が小さくなるので理想の像に近い鮮明な画像が得られる。
【００３８】
被撮影者等の被写体のある一点（例えば瞼部分）に着目すると、図４に示すようにシャッタ１３が開いた時点（Ｔ＝ｔ）で絞りが絞られていると鮮明な点として撮影され、シャッタ１３が閉じた時点（Ｔ＝ｔ＋Δｔ）で絞りが開けられていると太い点として撮影される。
【００３９】
従って、本実施の形態の撮影画像処理装置において、被撮影者の瞼部分のような移動（変化）する点は、撮影開始時には鮮明な細い点画像から始まり、撮影終了時には太い点として撮影されるため、若し、被撮影者の連続撮影中に被撮影者が瞼を閉じ又は瞼を開いた場合には、その時点の被撮影者の画像は、図５に示すような時間軸に沿って上から下に広がりのある線画又は図６に示すような時間軸に沿って上から下に収束（下から上に広がり）のある線画を含む画像として撮影され、前記信号処理装置４により処理されて記憶装置８に記憶される。
【００４０】
もちろん、瞼部分が動かない場合は、点画像として撮影される。
【００４１】
次に、本実施の形態の撮影画像処理装置における被撮影者の瞼部分のブレの無い静止画の抽出処理について図７を参照して説明する。
【００４２】
図１に示す記憶装置８には、被撮影者の顔が一定間隔でシーケンシャルに撮影された複数の静止画として記憶されている。
【００４３】
この抽出処理がスタートすると（ステップＳ１）、制御部２０はインターフェース９を介して前記記憶装置８にアクセスし、複数の静止画のうちの一枚の静止画の画像データを読み出す（ステップＳ２）。
【００４４】
画像抽出部２２は、読みだした画像データの中から瞼部分を区分けし（ステップＳ３）、その中から線分を検出する（ステップＳ４）。
【００４５】
線分が検出されない場合、画像判定部２３は静止画と判定し（ステップＳ６）処理終了とする（ステップＳ１３）。
【００４６】
次に、画像抽出部２２により線分が検出された場合、画像判定部２３は検出した線分の判定処理を行う。即ち、検出された線分が太さが一様であれば（ステップＳ５）、静止画と判定し、処理終了とする（ステップＳ１３）。
【００４７】
また、画像判定部２３は、検出された線分が両端の太さに違いが有り、上から下に向かって太くなっている場合には（ステップＳ７）、瞼が閉じられつつあると判定する、即ち、瞼が正常に開かれている静止画は当該静止画よりも時間軸で先に撮影された静止画群の中にあると判定する（ステップＳ８）。
【００４８】
画像検索部２４は、画像判定部２３の判定結果を基に前記記憶装置８にアクセスし、当該静止画よりも先に撮影された静止画の画像データを検索し、瞼が正常に開かれている静止画を抽出する（ステップＳ９）。この静止画は前記表示装置１１に表示され、処理終了となる（ステップＳ１３）。
【００４９】
一方、画像判定部２３は、検出された線分が両端の太さに違いが有り、下から上に向かって太くなっていると判定した場合には（ステップＳ１０）、瞼が開けられつつあると判定する。
【００５０】
即ち、瞼が正常に開かれている静止画は、当該静止画よりも時間軸で後に撮影された静止画群の中にあると判定する（ステップＳ１１）。
【００５１】
画像検索部２４は、画像判定部２３の判定結果を基に前記記憶装置８にアクセスし、当該静止画よりも後に撮影された静止画の画像データを検索し、瞼が正常に開かれている静止画を抽出する（ステップＳ１２）。この静止画は前記表示装置１１に表示され、処理終了となる（ステップＳ１３）。
【００５２】
本実施の形態により、被写体である被撮影者の瞼の移動（ブレ）の方向を検出し、瞼のブレの無い静止画を速やかに抽出する手段を提供でき、迅速かつ作業性良くブレの無い（又はブレの軽い）証明書等等の用途に好適な被写体、被撮影者の静止画を抽出し、さらに視認して確認することが可能な撮影画像処理装置及び撮影画像処理方法を実現することができる。
【００５３】
【発明の効果】
本発明によれば、瞼部分の開閉を伴う被撮影者のような被写体を連続撮影して得た多数の静止画の中からブレの無い所望の静止画を迅速に検索して抽出することができる撮影画像処理装置を提供することができる。
【００５４】
また、本発明によれば、瞼部分の開閉を伴う被撮影者のような被写体の連続撮影、被写体の動的部分のブレの有無及びブレ方向判定処理の繰り返しという一連の過程を経て、被写体の動的部分のブレの無い静止画を迅速に抽出することができる撮影画像処理方法を提供することができる。
【図面の簡単な説明】
【図１】本発明の実施の形態の撮影画像処理装置の全体構成を示すブロック図である。
【図２】本実施の形態の撮影画像処理装置における制御装置の構成を示すブロック図である。
【図３】本実施の形態の撮影画像処理装置におけるシャッタの開閉タイミングと絞り量との関係を示すタイミングチャートである。
【図４】本実施の形態の撮影画像処理装置における被写体のある一点に関するＴ＝ｔの時点及びＴ＝ｔ＋Δｔの時点における撮影状態を示す説明図である。
【図５】本実施の形態の撮影画像処理装置における被撮影者の瞼が閉じられつつある場合の線画を示す説明図である。
【図６】本実施の形態の撮影画像処理装置における被撮影者の瞼が開けられつつある場合の線画を示す説明図である。
【図７】本実施の形態の撮影画像処理装置の動作を示すフローチャートである。
【符号の説明】
１  レンズ部
２  アイリス部
３  撮像素子
４  信号処理装置
５  焦点調整装置
６  アイリス制御装置
７  カメラ制御装置
８  記憶装置
１０  制御装置
１１  表示装置
１２  プリンタ装置
１３  シャッタ
１４  シャッタ駆動部
２０  制御部
２１  プログラムメモリ
２２  画像抽出部
２３  画像判定部
２４  画像検索部
【図１】
0004213283.tif 000002
【図２】
0004213283.tif 000003
【図３】
0004213283.tif 000004
【図４】
0004213283.tif 000005
【図５】
0004213283.tif 000006
【図６】
0004213283.tif 000007
【図７】
0004213283.tif 000008